(57)【特許請求の範囲】
【請求項１】
左右カップ部の下側縁に沿って円弧形状のワイヤーを取り付けるカップ部を有する衣類において、
上記ワイヤーの長さ方向の両端とカップ部の下端部に当たる位置の３カ所をテープ、チューブあるいは留め具からなる取付部材で保持し、該取付部材をカップ布に固定し、
上記取付部材のうち上記下端部に取り付ける取付部材は、上記ワイヤーを長さ方向に移動可能に保持するものとし、あるいは取付部材に上記ワイヤーを移動不可に密嵌して挿通する一方、
前記取付部材で固定されていないワイヤーの部分をカップ布との遊離部分としていることを特徴とするカップ部を有する衣類。
【請求項２】
上記ワイヤーの遊離部分は、該ワイヤーの長さ方向の一端部に隣接する脇側部分と該ワイヤーの長さ方向の他端部に隣接する胸部内側部分であり、該遊離部分の長さはワイヤー全長の１／３以上で、全長の９割以下である請求項１に記載のカップ部を有する衣類。
【請求項３】
上記３カ所でカップ部に固定する上記取付部材は下記（１）〜（３）の構成からなる請求項１または請求項２に記載のカップ部を有する衣類。
（１）上記ワイヤーの両端に取り付ける取付部材は先端閉鎖、下端に取り付ける取付部材は両端開口としているバイアステープ；
（２）ワイヤー挿入凹部を有するクリップ；
（３）上記ワイヤーの両端に取り付ける取付部材は先端閉鎖、下端に取り付ける取付部材は両端開口としている樹脂製のチューブ；
【請求項４】
上記カップ部は表側カップ布と裏側カップ布とからなり、該裏側カップ布の表側カップ布に接する内面側に上記取付部材を取り付けて、表側カップ布と裏側カップ布の間に上記ワイヤーを配置している請求項１乃至請求項３のいずれか１項に記載のカップ部を有する衣類。
【請求項５】
上記取付部材およびワイヤーはカップ布の外面側に配置し、該ワイヤーおよび取付部材を外部から見えなくするワイヤーカバー部を土台布から突出して設けている請求項１乃至請求項３のいずれか１項に記載のカップ部を有する衣類。
【発明の詳細な説明】
【０００１】
【発明の属する技術分野】
本発明は、ブラジャーやボディスーツ等のワイヤーを備えたカップ部を有する衣類に関する。
【０００２】
【従来の技術】
従来のブラジャーやボディスーツ等は、立体的で豊かなバストライン形成のためにバージスラインに当たるカップ布下側縁に沿ってワイヤーを取り付け、バストアップ等の補整効果を高めている。
【０００３】
上記金属製あるいは樹脂製からなるワイヤーは、バージスラインに沿う円弧形状として、袋状テープに封入し、この袋状テープは、 その長さ方向の全長にわたってカップ布下側縁に縫着している。よって、カップ布の動きはワイヤーに規制され、ワイヤーの位置がバージスラインに固定されていると、カップ布もバストの動きに追従しにくくなっている。
【０００４】
【発明が解決しようとする課題】
ブラジャーは、バストを補整すると共に、身体挙動に伴うバストの揺れも抑制するものであるが、カップ布がバストの動きに追従しないと、圧迫感を受けると共に、バストがカップ布からはみ出すこともあり、着用感が悪くなると共に補整機能も損なわれることとなる。よって、カップ布がある程度の身体挙動に追従できるようにすることが求められる。
【０００５】
しかしながら、上記従来例のように、 ワイヤーを収容する袋状テープの全長がカップ布に縫着されていると、ワイヤーはバージスラインに固定されているため、該ワイヤーと縫着されて一体となっているカップ布は、身体挙動へ追従しにくく、上記のように、 バストへの圧迫感が強くなり、場合によっては、カップ布からバストがはみ出す問題がある。一方、ワイヤーがカップ布と一体となって身体挙動に追従した場合、ワイヤーの位置がバージスラインよりずれることにより、補整機能を損なうと共に、ワイヤーがバストの隆起部に当たると、ワイヤーよる締め付け感を強める等、着用感を大きく損ねるという問題もあった。特に、ワイヤーが平板状の場合は、ねじれが生じ、角のエッジ部分が肌に当たることにより、着用者が痛みを感じる場合もある。
【０００６】
本発明は上記した問題に鑑みてなされたものであり、カップ布の運動追従性を確保しながら着用時におけるワイヤーの位置ズレ・変形を防止できるカップ部を備えた衣類の提供を課題としている。
【０００７】
【課題を解決するための手段】
上記課題を解決するために、本発明は、左右カップ部の下側縁に沿って円弧形状のワイヤーを取り付けるカップ部を有する衣類において、
上記ワイヤーの長さ方向の両端とカップ部の下端部に当たる位置の３カ所をテープ、チューブあるいは留め具からなる取付部材で保持し、該取付部材をカップ布に固定し、
上記取付部材のうち上記下端部に取り付ける取付部材は、上記ワイヤーを長さ方向に移動可能に保持するものとし、あるいは取付部材に上記ワイヤーを移動不可に密嵌して挿通する一方、
前記取付部材で固定されていないワイヤーの部分をカップ布との遊離部分としていることを特徴とするカップ部を有する衣類を提供している。
【０００８】
上記構成とすることにより、ワイヤーは上記取付部材の配置箇所のみでカップ布に取り付けられ、他の箇所ではカップ布はワイヤーと固定されず遊離されているため、カップ布はワイヤーに引っ張られることなくバストの動きに追従できると供に、ワイヤーもカップ布に引っ張られることなくバージスラインにとどまり、バストを安定的に保持することができる。よって、バストの動きに対するカップ布の追従性が良くなる一方で、ワイヤーの位置ズレや変形を防止してバスト補整機能を維持できると供に、角張ったエッジ部が乳房下縁に当たることを防止もできる。
なお、上記ワイヤーの長さ方向の両端およびカップ部の下端部にあたる位置の３カ所は、両端近傍および下端近傍が含まれ、これら両端近傍および下端近傍の範囲で上記取付部材がカップ布に固定される。
【０００９】
ワイヤーをカップ布に取り付ける手段としては、テープを用いる場合は、布製等のテープの２枚重ねの内部にワイヤーを収容できる構成のものや、長さ方向に複数の穴を設けた一枚の細幅テープよりなり、該穴にワイヤーを通して取り付ける構成の穴明きテープ等でもよい。その他の取付部材として、クリップや雌雄スナップ等の留め具を用いてもよい。また、樹脂による接着でもよい。
【００１０】
カップ部の下端近傍に取り付ける取付部材は、ワイヤーを長さ方向に移動可能に保持するものでも良いし、移動不可に保持するものでもよい。ワイヤーを移動不可に保持しても、他の湾曲箇所のワイヤーがカップ布に固定されていない限り、カップ布に引っ張られてワイヤーへ負荷される無理な力を逃がすことができ、ワイヤーのひずみや変形を防止することができる。また、取付部材によりワイヤーを長さ方向に移動可能に保持する場合は、カップ布とは別に、ワイヤーがバストの左右の動きに応じて取付部材を中心に内側湾曲部や外側（脇側）湾曲部に移動することができ、ワイヤー独自の運動追従性を発揮して着用者に与える締め付け感を緩和することができる。
【００１１】
なお、上記取付部材はワイヤー装着位置のカップ布、土台布あるいはカップ布と土台布の境界位置で、この位置で内面・外面のいずれに取り付けてもよいが、外面に取り付けると、ワイヤーの内側にカップ布などの生地が配置され、ワイヤーの肌当たりを緩和して着用感を高めることができる。ワイヤーを外面に取り付ける場合、土台布からカップ布側へ突出させたポケット状のワイヤー・カバー部を設けてワイヤーを隠れるようにすることが好ましい。また、カップ布を表側布と裏側布の２枚で構成する場合は、上記取付部材を表側布と裏側布とが接する内面側のいずれか一方に取り付けると、ワイヤーや取付部材が表裏両方から見えずに隠れるため、外観がよくなり、デザイン性を高めることができる。
【００１２】
上記長さ方向両端の取付部材としては、一端閉鎖、他端開口の袋状テープやチューブが用いられ  開口からワイヤーを挿入し、ワイヤーの先端を閉鎖部に当接させることにより、ワイヤーの突き抜けを防止している。なお、閉鎖面を備えたクリップ等の留め具を用いてもよい。一方、カップ部の下端近傍の取付部材は、両端開口のテープやチューブが好適に用いられ、テープおよびチューブ内に挿通するワイヤーは長さ方向に移動可能としても良いし、テープやチューブの内径をワイヤーに密嵌するサイズとして移動不可に保持する構成としてもよい。また、クリップ等の留め具を用いてもよい。
【００１３】
上記ワイヤーとカップ布との遊離部分は、ワイヤー全長の１／３以上、好ましくは１／２以上としており、長さ方向の両端と最下端近傍を夫々１ｃｍ程度止めてワイヤー全長の９割程度を遊離させてもよい。かつ、前記のように、最下端近傍はカップ布に固定される取付部材内でワイヤーを移動可能としてもよいし、移動不可としてもよい。上記遊離部分は、ワイヤーの長さ方向端部に隣接する脇側部分および／あるいは内側部分とすることが好ましい。即ち、一端側の取付部材が最下端近傍まで延在する長いものであっても、脇側部分および内側部分でワイヤーとカップ布とを遊離させた構成とすると、ワイヤーが全長にわたってカップ布と一体に縫着されている場合に比して、カップ布の自由度を高めてバストの動きに追従させることができ、かつ、ワイヤーにかかる力も低減してワイヤーの変形等を防止することができる。ただし、脇側部分と内側部分の両方で遊離させている方が、カップ布の自由度を高めることができる。
【００１４】
上記構成の衣類は、ブラジャー、ロングブラジャー、ブラスリップ、ボディスーツあるいはカップ付き肌着など、幅広く適用することができる。
【００１５】
【発明の実施の形態】
以下、発明の実施形態を図面を参照して説明する。
図１乃至図３は、本発明の第一実施形態に係るブラジャー１００を示し、左右のカップ布１０１と支持布１０３とからなるカップ部Ｃと、左右の背面布１０４、肩紐１０５で構成され、ワイヤー１１０およびワイヤー取付部材としてのテープ１２０、１２１を備えている。
【００１６】
バストを覆う左右のカップ布１０１は、膨らんだ乳房全体をほぼ完全に覆うフルカップ形状としている。土台布１０３は、アンダーバスト位置を正面側から両脇にかけて覆い、左右カップ布１０１の円弧形状の下辺縁１０１ｂに連続して縫着している。土台布１０３の脇側端縁１０３ｃには左右の背面布１０４を縫着し、背面布の後端縁１０４ｃには係止具１０６を取り付け、背面側で着脱自在に係止できるようにしている。
【００１７】
図２にも示すように、上記ブラジャー１００の外面側の、左右カップ布１０１の下辺縁（バージスライン）１０１ｂに沿った左右のワイヤー装着位置Ｌには、長さ方向両端の外側（脇側）端部と内側端部にワイヤー取付部材として先端閉鎖のテープ１２０を取り付け、最下端近傍には両端開口のテープ１２１を取り付けている。上記テープ１２０、１２１は汎用のバイアステープからなり、先端閉鎖のテープ１２０はバイアステープの切断端の一端を縫着して閉鎖している。
【００１８】
上記テープ１２０、１２１は、図３（Ａ）（Ｂ）に示すように、いずれもワイヤー１１０を遊挿することができる寸法の細幅で、長さ１ｃｍの短いものである。両端に取り付けるテープ１２０は、図３（Ａ）に示すように、長さ方向の一端を縫着せず開口部１２０ａとし、他端を縫着して閉鎖部１２０ｂとしている。テープ１２１は、図３（Ｂ）に示すように、長さ方向の両端を開口部１２１ａとしている。このように、両端に開口部があり、かつ、ワイヤー１１０をテープ１２１内に遊挿しているため、ワイヤー１１０は最下端近傍のテープ１２１内に移動可能に保持されている。上記ワイヤー１１０を両端のテープ１２０に取り付けるときは、ワイヤー１１０の先端面１１０ａが閉鎖部１２０ｂに当接する位置まで該ワイヤー１１０を開口部１２０ａから挿入して突き抜け・移動不可に固定している。
【００１９】
上記構成のブラジャー１００を着用すると、ワイヤー１１０を長さ方向の両端位置および最下端近傍の３点箇所のみで保持するテープ１２０、１２１がカップ布１０１および土台布１０３（以下「カップ布」と略す）と移動不可に固定され、曲率の大きい胸部内側湾曲部Ａ１と胸部脇側湾曲部Ａ２ではワイヤー１１０はカップ布に固定されず遊離し、露出した状態としている。よって、胸部内側湾曲部Ａ１と胸部脇側湾曲部Ａ２ではカップ布がワイヤー１１０に引っ張られないため、これらカップ布がバストの動きに追従でき、着用者に圧迫感を与えないと共に、バストがカップ布からはみ出すことも防止できる。
【００２０】
一方、ワイヤー１１０はカップ布に引っ張れて無理な力がかからることはなく、所定のバージスラインにとどまることができるため、ワイヤーのねじれや位置ズレを防止して、平板状ワイヤーのエッジの当たりや締め付け感を緩和できるとともに、バスト補整機能を維持することができる。さらに、ワイヤー１１０は最下端近傍のテープ１２１に遊挿されており、長さ方向に移動可能であるため、該最下端近傍を中心に乳房の左右の動きに応じて胸部内側湾曲部Ａ１側あるいは胸部脇側湾曲部Ａ２側に移動することができ、カップ布等とは別に独自に身体に追従することができる。
【００２１】
図４（Ａ）（Ｂ）は第１実施形態の第１変形例を示し、外面に露出するワイヤー１１０およびテープからなる留め具を見えなくするために、土台布１０３よりカップ布側に突出させたワイヤーカバー部１０３ａを設けている。
【００２２】
図５（Ａ）（Ｂ）は第１実施形態の第２変形例を示し、ワイヤー装着位置Ｌの両端位置には図５（Ａ）に示す先端に閉鎖部１２２ｂがあり、内側が開口部１２２ａを有するクリップ１２２を取りつける一方、ワイヤー装着位置Ｌの最下端近傍には図５（Ｂ）に示す両端に開口部１２３ａを有するクリップ１２３を取り付けている。
上記クリップ１２２、１２３は、いずれも長さ方向に短寸のものであり、長さ方向に溝状に設けたワイヤー挿入凹部１２２ｃ、１２３ｃを弾性係止部１２２ｄ、１２３ｄで囲んだ構成としている。本変形例では、弾性係止部１２２ｄ、１２３ｄの弾性がワイヤー挿入凹部１２２ｃ、１２３ｃを閉鎖する方向に働くことによって、ワイヤー１１０を着脱可能に係止することができる。
【００２３】
上記クリップとしては図６（Ａ）（Ｂ）に示す形状としてもよい。該クリップ１２２’は固定部１２２ａ’を弾性係止部分１２２ｂ’との対向面をくりぬいた枠形状とすると共に、弾性係止部１２２ｂ’の上端に内側への突起部１２ｉ’を設け、挿入口１２２ｅ’から挿入凹部１２２ｄ’に差し込み取り付けたワイヤー１１０が突起部１２２ｉ’に引っ掛かり容易に外れない構成としている。このクリップ１２２’を用いると、挿入凹部１２２ｄ’に取り付けられたワイヤー１１０の裏面に位置する固定部１２２ａ’がくり抜かれているため、弾性係止部１２２ｂ’の可撓性が発揮されやすいと共に、該クリップ取付箇所の前方への出っ張りを減らすことができ、着用時のシルエットを美しくできる。
【００２４】
図７および図８は参考第１実施形態を示し、ワイヤー装着位置Ｌの内側端部に短い先端閉鎖のチューブ１２４を取り付けるとともに、最下端近傍から脇側端部にかけて下辺縁１０１ｂに沿った円弧形状の長い先端閉鎖のチューブ１２４’を取り付けている。
【００２５】
図８に示すように、上記チューブ１２４、１２４’はいずれも樹脂製であり、長さ方向の一端に開口部１２４ａ、１２４’ａを設けるとともに、他端を閉鎖部１２４ｂ、１２４’ｂとし、ワイヤー装着位置Ｌには、開口部１２４ａ、１２４’ａが対向し、閉鎖部１２４ｂ、１２４’ｂが両端方向に向くように配置し取り付けている。
【００２６】
本参考実施形態では、ワイヤー１１０は胸部内側湾曲部Ａ１でのみ露出してカップ布から遊離しているが、該胸部内側湾曲部Ａ１でワイヤー１１０とカップ布とが互いに引っ張り合うことなく独立した動きができることによって、カップ布のバストの動きに対する追従性を維持できるとともに、ワイヤー１１０にかかる無理な力を該胸部内側湾曲部Ａ１から逃がすことができる。
【００２７】
図９（Ａ）（Ｂ）は参考第２実施形態を示し、ワイヤー装着位置Ｌの脇側端部に短い穴あきテープ１２６をとりつけ、ワイヤー装着位置Ｌの最下端近傍から内側端部にかけて下辺縁１０２ｂに沿った円弧形状の長い穴あきテープ１２６’を取り付けている。
【００２８】
上記穴あきテープ１２６、１２６’には複数の通し穴１２６ａ、１２６’ａを穿設するとともに、図９（Ｂ）に示すように、ワイヤー装着位置Ｌの両端側に位置する上記穴あきテープ１２６、１２６’それぞれの一端縁をカップ布等と縫着してカップ布等との間に閉鎖部１２６ｂ、１２６’ｂを形成し、通し穴１２６ａ、１２６’ａに縫うように通したワイヤー１１０の先端部を該閉鎖部１２６ｂ、１２６’ｂ内に収容して突き抜け不可に装着している。
【００２９】
本参考実施形態では、ワイヤー１１０は胸部脇側湾曲部Ａ２でのみ露出してカップ布から遊離しているが、該胸部脇側湾曲部Ａ２でワイヤー１１０とカップ布等とが互いに引っ張り合うことなく独立した動きができることによって、カップ布等の運動追従性を維持できるとともに、ワイヤー１１０にかかる無理な力を逃がし抑制することができる。
【００３０】
図１０および図１１は本発明の第２実施形態に係るブラジャー１００’を示し、カップ布を表側カップ布１０１’と裏側カップ布１０２の２枚重ねで構成している点、ワイヤー装着位置Ｌを裏側カップ布１０２の表側カップ布１０１’と接する内面側に取り付けている点、およびワイヤー取付部材として先端閉鎖のチューブ１２４と両端開口チューブ１２５を用いている点で第１実施形態と相異する。
【００３１】
上記一端閉鎖のチューブ１２４と両端開口のチューブ１２５はいずれも樹脂製で長さ１センチの短寸のものであり、両端開口のチューブ１２５は、長さ方向の両端に開口部１２５ａを設け、内径をワイヤー１１０に密嵌する寸法としている。
【００３２】
上記一端閉鎖のチューブ１２４は、裏側カップ布１０２の表側カップ布１０１’と接する面の下辺縁１０２ｂに沿った両端位置に、開口部１２４ａを中央側に向け、閉鎖部１２４ｂを両端側に向けて取り付け、該一端開口チューブ１２４にワイヤー１１０の端部を挿入した際に先端面１１０ａが該閉鎖部１２４ｂに当接して突き抜け不可に固定できるようにしている。また、両端開口のチューブ１２５は、上記下辺縁１０２ｂに沿った最下端近傍に取り付け、ワイヤー１１０に密嵌して該ワイヤー１１０を長さ方向に移動不可に挿通する構成としている。
【００３３】
上記表側カップ布１０１’と裏側カップ布１０２とは、間に上記ワイヤー１１０およびチューブ１２４、１２５を挟んだ状態でその周縁を互いに一体に縫着している。
【００３４】
本実施形態においても、ワイヤーが両端位置および最下端近傍の３点箇所でのみカップ布等に固定され、胸部内側湾曲部Ａ１および胸部脇側湾曲部Ａ２ではワイヤー１１０は上記チューブ１２４、１２５から露出して、ワイヤーとカップ布等が互いに移動自在であるため、カップ布の運動追従性を損なうことなく、ワイヤーの変形・位置ズレを防止し補整機能も維持することができる。また、チューブやワイヤーを表裏カップ布１０１’、１０２の間に収容しているため、外方からワイヤーやチューブが見えずデザイン性を高めることができる。
【００３５】
本発明は上記実施形態に限定されず、図１２に示すロングブラジャー、図１３に示すブラスリップ、図１４に示すボディスーツ、図１５に示すカップ付き肌着等、幅広く適用することができる。なお、これら下着では、第１実施形態と同一の符号を付して説明を省略する。
【００３６】
また、本実施形態ではワイヤーに断面扁平形状の金属製スパイラルボーンを用いているが、断面は平板状や真円形状としてもよく、樹脂製の棒状のもの等を用いてもよい。また、乳房の隆起に沿うように立ち上がりをつけた立体的なものを用いてもよい。
【００３７】
【発明の効果】
以上の説明より明らかなように、本発明のカップ部を有する衣類では、カップ下辺縁のバージスラインに装着するワイヤーの取付部材を、長さ方向両端位置とカップの下端近傍とで固定して、カップ布と固定していない遊離部分をワイヤーに設けているため、従来のワイヤーが全長にわたってカップ布に固定されている場合と比較して、カップ布はワイヤーに引っ張られず、乳房の動きへの追従性を高めることができる。その結果、圧迫感が減少して、着用感を向上させることができる。
【００３８】
また、ワイヤー側もカップ布の動きに引っ張られないため、バージスラインに確実に位置決め固定され、ワイヤーのバスト補整機能を損なわずに安定的に維持することができる。さらに、カップ布から負荷される無理な力を逃すことができ、ワイヤーの変形・ひずみを防止できると供に、さらにはエッジが立って肌に当たることによる着用者の痛みを緩和することができる。
【図面の簡単な説明】
【図１】  本発明の第１実施形態に係るブラジャーを示す斜視図である。
【図２】  図１に示すブラジャーのワイヤー装着前の要部拡大図である。
【図３】  （Ａ）は袋状テープの拡大斜視図であり、（Ｂ）は筒状テープの拡大斜視図である。
【図４】  （Ａ）（Ｂ）は第１実施形態の第１変形例を示す図である。
【図５】  （Ａ）（Ｂ）は第１実施形態の第２変形例を示し、（Ａ）は一端開口クリップの拡大斜視図であり、（Ｂ）は両端開口クリップの拡大斜視図である。
【図６】  （Ａ）（Ｂ）はクリップの変形例を示す図である。
【図７】  参考第１実施形態にかかるブラジャーの斜視図である。
【図８】  （Ａ）は図７の要部拡大図、（Ｂ）は一端開口チューブの拡大斜視図である。
【図９】  （Ａ）は参考第２実施形態に係るブラジャーの斜視図、（Ｂ）は取付部材の斜視図である。
【図１０】  （Ａ）（Ｂ）は本発明の第２実施形態に係るブラジャーの要部拡大図である。
【図１１】  図１０に示すブラジャーの要部断面図である。
【図１２】  本発明をロングブラジャーに適用した場合の図面である。
【図１３】  本発明をブラスリップに適用した場合の図面である。
【図１４】  本発明をボディスーツに適用した場合の図面である。
【図１５】  本発明をカップ付き肌着に適用した場合の図面である。
【符号の説明】
１００、１００’
１０１  カップ布
１０１’  表側カップ布
１０２  裏側カップ布
１０３、１０３”  支持布
１１０  ワイヤー
１２０  袋状テープ
１２１  筒状テープ
１２２  一端閉鎖のクリップ
１２３  両端開口のクリップ
１２４、１２４’  一端閉鎖のチューブ
１２５  両端開口のチューブ
１２６、１２６’  穴あきテープ
Ｌ  ワイヤー装着位置
【図１】
0004489241.tif 000002
【図２】
0004489241.tif 000003
【図３】
0004489241.tif 000004
【図４】
0004489241.tif 000005
【図５】
0004489241.tif 000006
【図６】
0004489241.tif 000007
【図７】
0004489241.tif 000008
【図８】
0004489241.tif 000009
【図９】
0004489241.tif 000010
【図１０】
0004489241.tif 000011
【図１１】
0004489241.tif 000012
【図１２】
0004489241.tif 000013
【図１３】
0004489241.tif 000014
【図１４】
0004489241.tif 000015
【図１５】
0004489241.tif 000016